(57)【要約】      （修正有）【課題】リング状の止片を用い、かつ止片の内側には突起部を設け、基盤側に設けた突壁と係合可能とし、クイックアクションで、かつ係合を確実に保持できるようにした自動車用ランプの提供。【解決手段】基盤１に設けた光源８に対し、この光源８を覆い、かつ光源８の光を外部に照射できる透光カバー６より成る自動車用ランプであって、透光カバー６の下端に外鍔７を設け、この外鍔７を基盤１の外周に設けた突壁２を有する環状鍔部３に係入させると共に、上部を湾曲した弧状係止部１４を設けたリング状の止片１１の立筒部１３の内側には、必要個処に突起部１５を突設しこの突起部１５により突壁２を飛び越えて、前記弧状係止部１４で透光カバー６の外鍔７を係止させ、かつ突壁２の下部で係止できるようにしたことを特徴とする自動車用ランプ。【選択図】図５
0003113899.tif 000002
【実用新案登録請求の範囲】
【請求項１】
基盤に設けた光源に対し、この光源を覆い、かつ光源の光を外部に照射できる透光カバーより成る自動車用ランプであって、透光カバーの下端に外鍔を設け、この外鍔を基盤の外周に設けた突壁を有する環状鍔部に係入させると共に、上部を湾曲した弧状係止部を設けたリング状の止片の立筒部の内側には、必要個処に突起部を突設しこの突起部により突壁を飛び越えて、前記弧状係止部で透光カバーの外鍔を係止させ、かつ突壁の下部で係止できるようにしたことを特徴とする自動車用ランプ。
【請求項２】
光源は、基盤に対して多数の発光ダイオードを、反射材より成る多数の凹処内にそれぞれ１個宛植設して成ることを特徴とする請求項１記載の自動車用ランプ。
【考案の詳細な説明】
【技術分野】
【０００１】
本考案は、各種自動車に取付けられる自動車用ランプに関する。
【背景技術】
【０００２】
この種の自動車用ランプは、光源を配設した基盤に対し、光源を被覆し、光源よりの光を外部に照射させる透光カバーを被着した構成を備えている（例えば、特許文献1参照。）。
【０００３】
そして、特許文献１にあっては、円錐状の透光カバーの下端開口部を、光源を配設した基盤の外周に当接し、弾性ゴムバンドのゴムリングを用いて弾性的な狭持力の下に固定したり、またビスなどを用いて透光カバーの下端開口部より基盤の外周に螺合させて固着するなどしていた。
【特許文献１】実用新案登録第３０７７１８３号公報
【考案の開示】
【考案が解決しようとする課題】
【０００４】
ビスなどの止具を用いて透光カバーを基盤と一体的に組込むことは、作業性が悪く、非能率であると共に、特許文献１のような弾性ゴムリングでは、伸縮作用で、作業が簡単となっても、ゴムの老化などで破損するという虞があった。
【０００５】
本考案は、リング状の止片を用い、かつ止片の内側には突起部を設け、基盤側に設けた突壁と係合可能とし、クイックアクションで、かつ係合を確実に保持できるようにした自動車用ランプを提供することを目的とする。
【課題を解決するための手段】
【０００６】
本考案は、以下の構成を備えることにより、上記課題を解決できる。
【０００７】
（１）基盤に設けた光源に対し、この光源を覆い、かつ光源の光を外部に照射できる透光カバーより成る自動車用ランプであって、透光カバーの下端に外鍔を設け、この外鍔を基盤の外周に設けた突壁を有する環状鍔部に係入させると共に、上部を湾曲した弧状係止部を設けたリング状の止片の立筒部の内側には、必要個処に突起部を突設しこの突起部により突壁を飛び越えて、前記弧状係止部で透光カバーの外鍔を係止させ、かつ突壁の下部で係止できるようにしたことを特徴とする自動車用ランプ。
【０００８】
（２）光源は、基盤に対して多数の発光ダイオードを、反射材より成る多数の凹処内にそれぞれ１個宛植設して成ることを特徴とする前記（１）記載の自動車用ランプ。
【考案の効果】
【０００９】
本考案によれば、自動車用ランプを構成する基盤と、透光カバーと、之等両者を一体的に固定させるリング状の止片とより構成されており、このリング状の止片を、その構成の突起部を用いて加圧力を与えて係止させることができるので、組立が簡単で容易に行え、したがって作業性を著しく向上できる。
【考案を実施するための最良の形態】
【００１０】
以下に本考案を実施するための最良の形態を、実施例に基づいて図面を参照しながら説明する。
【実施例】
【００１１】
図は、本考案の自動車用ランプの一実施例を示し、１は円形状の基盤を示し、この基盤１の外周には、環状の突壁２を、その環状鍔部３を介して設けられ、さらに中央載置部４と、立上り部５を介して形成される。６は円錐状の内面をダイヤカットした透光カバーで、カーボネートなどのプラスチックで形成されると共に、開口部下端には外鍔７を設けてあり、この下部７ａが前記基盤１の環状鍔部３上に載置できるようになっている。そして、基盤１の中央載置部４上に固着される多数の光源８を植設したライト支持体９を前記透光カバー６で被覆し、多数の光源８から発光される光を透過させて外部に照射できるようにしてある。なお、前記光源８は、例えば図示のように発光ダイオード（ＬＥＤ）を用い、かつそれぞれの光源は反射材よりなる円錐状の凹処１０内の中央に植設させて、光の集光性と反射効果を高めてある。
【００１２】
１１はリング状の止片を示し、透光カバー６の外鍔７の下部７ａが基盤１の環状鍔部３上に載置された状態で、透光カバー６側より、透光カバー６内に挿入できる基盤１の突壁２の外周までの大きさ（Ｌ）と略々同じ大きさ（Ｌ）の開口部１２を設けた立筒部１３と、これに続く上部に内側に向けて湾曲した弧状係止部１４を設けてある。そしてこのリング状の止片１１には、立筒部１３の内側には必要個処に突設した線状の突起部１５を設けてあり、前記弧状係止部１４で透光カバー６の外鍔７を係止させ、かつ突起部１５により突壁２を飛び越えさせて、突壁２の下部で係止させることができるようになっている（図６（ａ）（ｂ）（ｃ）参照。）。
【００１３】
なお、図において符号１６は光源用リード線、１７は自動車装着用止ビスを示す。
【００１４】
本考案によれば、多数の光源８として円錐状の凹処１０内に植設した発光ダイオードを配設したライト支持体９を備えた基盤１と、この基盤１の環状鍔部３に支持される透光カバー６の外鍔７の下部７ａを載置させて、基盤１と透光カバー６を重ね合わせ、リング状の止片１１を透光カバー６の頂部より挿通し、止片１１の外周に設けた弧状係止部１４を透光カバー６の外鍔７の表面と係止させ乍ら、図６の（ａ）（ｂ）（ｃ）に示すように、立筒部１３を基盤１の突壁２の外周に沿って摺接させて押下することにより、立筒部１３の内側に設けた突起部１５が突壁２を飛び越えて突壁の下部で係止されて透光カバー６と基盤１とを確固に固定させることができる。
【００１５】
指圧程度の押圧力をリング状の止片１１に加えるだけで、止片１１による係止ができると共に、取外しも同じ程度の力を反対方向に加えることにより外すことができる。
【図面の簡単な説明】
【００１６】
【図１】本考案の一実施例を示す自動車用ランプの側面図
【図２】図１の一部を切欠して示す平面図
【図３】リング状の止片の平面図
【図４】図３の止片の底面図
【図５】本考案の要部を示す拡大断面図
【図６】（ａ）（ｂ）（ｃ）  リング状の止片の係止過程の要部の断面図
【符号の説明】
【００１７】
１  基盤
２  突壁
３  環状鍔部
６  円錐状の透光カバー
７  外鍔
８  光源
９  ライト支持体
１１  リング状の止片
１３  立筒部
１４  弧状係止部
【図１】
0003113899.tif 000003
【図２】
0003113899.tif 000004
【図３】
0003113899.tif 000005
【図４】
0003113899.tif 000006
【図５】
0003113899.tif 000007
【図６】
0003113899.tif 000008